(57)【要約】  【課題】入力映像信号の種類、すなわち、映像ソースの種類、適合表示デバイスの規格の違い、放送受信信号かライン等による入力信号かの違い等が種々異なっても、一定で短いブランキング時間またはフリーズ時間で表示映像の切り換えを行う。  【解決手段】本映像信号処理装置２は、複数の信号処理部２１,２２,…２Ｍと、複数の信号処理部の出力に接続されている出力制御部３０およびＣＰＵ５を有する。出力制御部３０およびＣＰＵ５は、表示デバイス４に出力すべき映像信号が第１映像信号Ｓ１から第２映像信号Ｓ２へ切り換わるイベントが発生した場合、少なくとも、第２映像信号Ｓ２に対し信号処理部２２が行う処理の終了までは、信号処理部２１で処理された後の第１映像信号Ｓ１を引き続き表示デバイス４に出力する制御を実行する。  【選択図】図１
2007013464.tif 000002
【特許請求の範囲】
【請求項１】
入力した映像信号を処理して表示デバイスに出力する映像信号処理装置であって、
複数の信号処理部と、
前記複数の信号処理部の出力に接続され、前記表示デバイスに出力すべき映像信号が第１映像信号から第２映像信号へ切り換わるイベントが発生した場合、少なくとも、前記第２映像信号に対し一の信号処理部が行う処理の終了までは、他の信号処理部で処理された後の第１映像信号を引き続き前記表示デバイスに出力する出力制御部と
を有する映像信号処理装置。
【請求項２】
前記出力制御部は、前記一の信号処理部が行う処理が終了して一定時間経過後までは前記処理後の第１映像信号を引き続き出力し、ブランキング画像を出力し、前記ブランキング画像の出力期間中に前記複数の信号処理部から入力される処理後の映像信号を第１映像信号から第２映像信号に切り換え、前記ブランキング画像の出力を解除することにより、処理後の第２映像信号を前記表示デバイスに出力する
請求項１に記載の映像信号処理装置。
【請求項３】
前記出力制御部は、前記イベントの発生後に、外部から入力または内部生成した、前記映像切換え処理中であることを報知するＯＳＤ画像のデータを前記第１映像信号に合成し、少なくとも、前記第１映像信号の出力を続行している最中に前記表示デバイスに出力する
請求項１に記載の映像信号処理装置。
【請求項４】
複数の映像信号の入力コネクタと、
前記複数の映像信号の入力コネクタと前記複数の信号処理部との接続関係を切り換えるマルチプレクサ部とをさらに有し、
前記映像信号出力部は、少なくとも、前記マルチプレクサ部による前記接続関係の変更確定処理と、前記複数の信号処理部における前記映像切換え処理との終了までは、前記処理後の第１映像信号の出力を続行する
請求項１に記載の映像信号処理装置。
【請求項５】
制御端子をさらに有し、
前記出力制御部は、ユーザ操作に基づく前記イベントの開始信号を制御端子経由で受けてから所定時間経過までは、前記処理後の第１映像信号の出力を続行する
請求項１に記載の映像信号処理装置。
【請求項６】
制御端子をさらに有し、
前記イベントが受信映像の選局動作によるチャネル切換の場合に、前記出力制御部は、ユーザ操作に基づく前記チャンネル切換後の入力映像信号レベルの推移を制御端子経由でモニタし、前記入力映像信号レベルに基づいて前記処理後の第１映像信号の出力続行を制御する
請求項１に記載の映像信号処理装置。
【請求項７】
入力した映像信号を処理して表示デバイスに出力する映像信号処理方法であって、
前記表示デバイスに出力すべき映像信号が第１映像信号から第２映像信号へ切り換わるイベントが発生したことを検出するイベント検出のステップと、
前記イベント発生の検出に基づいて、前記第２映像信号に対し処理を実行し、少なくとも当該処理の終了までは、前記第１映像信号を引き続き前記表示デバイスに出力する映像出力制御のステップと
を含む映像信号処理方法。
【請求項８】
前記映像出力制御のステップが、さらに、
前記第２映像信号に対し処理を実行する第１ステップと、
前記第１ステップの終了後一定時間経過までは、前記表示デバイスに前記第１映像信号を引き続き出力する第２ステップと、
前記表示デバイスへのブランキング画像の出力を開始する第３ステップと、
前記ブランキング画像の出力期間中に、つぎに前記表示デバイスに出力すべき映像信号を前記第２映像信号に内部で切り換える第４ステップと、
前記ブランキング画像の出力を解除する第５ステップと
を含む請求項７に記載の映像信号処理方法。
【請求項９】
外部から入力または内部生成した、前記映像切換え処理中であることを前記第１および第２ステップ期間中に報知するＯＳＤ画像のデータを前記第１映像信号に合成するステップをさらに含む
請求項７に記載の映像信号処理方法。
【発明の詳細な説明】
【技術分野】
【０００１】
本発明は、入力した映像信号を処理して表示デバイスに出力する映像信号処理装置および映像信号処理方法の、映像信号切り換え処理時の表示制御（表示デバイスへの映像信号の出力制御）に関する。
【背景技術】
【０００２】
テレビジョン受像機等、その他の放送受信機能を有する電子機器において、その受信チャンネルを切り換える操作を行った場合に、新たなチャンネルの映像が表示されるまでの間は、映像信号にブランキング（黒画面処理）を施し、あるいは、映像信号をフリーズ状態にする映像出力制御の方法がとられることが一般的である。この方法では、画乱れがない安定した映像表示状態となる時点で、ブランキングやフリーズ状態を解除することから、表示映像の選局切り換え時の画乱れが視聴者に提示されることがない。
【０００３】
この映像出力制御の方法は、ビデオテープ映像などのアナログビデオ信号、ＤＶＤ映像、ハイビジョン映像などのデジタルビデオ信号など、種々のソースに応じた映像信号の切り換え時にも、同様に適用できる。
【０００４】
映像出力制御に関し、チャンネル切り換え要求があると、その切り換え処理中は映像信号にブランキング画像を施し、ブランキング画像を表示してから、つぎに表示すべき新たなチャンネルの映像が比較的安定した段階から徐々にブランキングを解除し、該映像を徐々にディスプレイに表示させる技術が知られている（たとえば特許文献１参照）。
この技術が意図するところは、黒画面表示となるブランキング時間を出来るだけ短縮することと、新たな画像を徐々に表示して視聴者の目への負担を軽減することである。
【特許文献１】特開２００２−２１８３４９号公報
【発明の開示】
【発明が解決しようとする課題】
【０００５】
本来、ブランキング（あるいはフリーズ状態）はユーザにとって得るものがなく、できる限り短縮したいものである。
しかしながら、上記特許文献１に記載の技術では実質的に切り換え処理を行っている最中はブランキング画像の表示状態となるため、ブランキング時間の短縮が不十分である。
【０００６】
ところで、最近の映像表示機能を有する電子機器は多機能化が進み、アナログチューナ、デジタルチューナなどの放送受信機能のほかに、各種のソースに対応したアナログまたはデジタルの映像信号の入力端子を数多く備える電子機器が登場している。また、映像信号規格の種類、および、映像信号を出力する表示デバイスの種類が多様化し、入力した映像信号を表示デバイスに適合させる解像度変換および画質調整のための処理の必要性も以前より増している。
【０００７】
このため、映像信号を入力してから各種処理を行う時間が増大している。とくに、デジタル放送受信が可能な機器が急速に普及している。デジタル放送受信では、デジタルチューナで受信した後にデコード作業を行う必要があり、この作業に時間がかかる。
したがって、上記特許文献１に記載の方法などのように実質的に信号処理を行う最中にブランキングをかけることにすると、視聴者にとっては意味がないブランキング時間が長くなることが懸念される。
【０００８】
また、デジタル放送受信機能と、アナログコンテンツの受信または入力の機能が同一機器に混在した場合に、デジタル放送受信信号の処理時のブランキング時間が、アナログコンテンツの映像信号処理時より長くなる。このため、上記特許文献１に記載の方法などのように実質的に信号処理を行う最中にブランキングをかけることにすると、表示を切り換える映像信号の組み合わせによっては、ブランキング時間にばらつきが生じる。
【０００９】
本発明が解決しようとする課題は、入力映像信号の種類、すなわち、映像ソースの種類、適合表示デバイスの規格の違い、放送受信信号かライン等による入力信号かの違い等が種々異なっても、一定で短いブランキング時間またはフリーズ時間で表示映像の切り換えを行うことが可能な映像信号処理装置を実現することである。
【課題を解決するための手段】
【００１０】
本発明に係る映像信号処理装置は、入力した映像信号を処理して表示デバイスに出力する映像信号処理装置であって、複数の信号処理部と、前記複数の信号処理部の出力に接続され、前記表示デバイスに出力すべき映像信号が第１映像信号から第２映像信号へ切り換わるイベントが発生した場合、少なくとも、前記第２映像信号に対し一の信号処理部が行う処理の終了までは、他の信号処理部で処理された後の第１映像信号を引き続き前記表示デバイスに出力する出力制御部とを有する。
本発明では好適に、前記出力制御部は、前記一の信号処理部が行う処理が終了して一定時間経過後までは前記処理後の第１映像信号を引き続き出力し、ブランキング画像を出力し、前記ブランキング画像の出力期間中に前記複数の信号処理部から入力される処理後の映像信号を第１映像信号から第２映像信号に切り換え、前記ブランキング画像の出力を解除することにより、処理後の第２映像信号を前記表示デバイスに出力する。
本発明では好適に、前記出力制御部は、前記イベントの発生後に、外部から入力または内部生成した、前記映像切換え処理中であることを報知するＯＳＤ画像のデータを前記第１映像信号に合成し、少なくとも、前記第１映像信号の出力を続行している最中に前記表示デバイスに出力する。
本発明では好適に、複数の映像信号の入力コネクタと、前記複数の映像信号の入力コネクタと前記複数の信号処理部との接続関係を切り換えるマルチプレクサ部とをさらに有し、前記映像信号出力部は、少なくとも、前記マルチプレクサ部による前記接続関係の変更確定処理と、前記複数の信号処理部における前記映像切換え処理との終了までは、前記処理後の第１映像信号の出力を続行する。
【００１１】
本発明に係る映像信号処理方法は、入力した映像信号を処理して表示デバイスに出力する映像信号処理方法であって、前記表示デバイスに出力すべき映像信号が第１映像信号から第２映像信号へ切り換わるイベントが発生したことを検出するイベント検出のステップと、前記イベント発生の検出に基づいて、前記第２映像信号に対し処理を実行し、少なくとも当該処理の終了までは、前記第１映像信号を引き続き前記表示デバイスに出力する映像出力制御のステップとを含む。
本発明では好適に、前記映像出力制御のステップが、さらに、前記第２映像信号に対し処理を実行する第１ステップと、前記第１ステップの終了後一定時間経過までは、前記表示デバイスに前記第１映像信号を引き続き出力する第２ステップと、前記表示デバイスへのブランキング画像の出力を開始する第３ステップと、前記ブランキング画像の出力期間中に、つぎに前記表示デバイスに出力すべき映像信号を前記第２映像信号に内部で切り換える第４ステップと、前記ブランキング画像の出力を解除する第５ステップとを含む。
本発明では好適に、外部から入力または内部生成した、前記映像切換え処理中であることを前記第１および第２ステップ期間中に報知するＯＳＤ画像のデータを前記第１映像信号に合成するステップをさらに含む。
【００１２】
以上の構成によれば、出力制御部は、映像信号が第１映像信号から第２映像信号へ切り換わるイベントが発生した場合、少なくとも、前記第２映像信号に対し一の信号処理部が行う処理の終了までは、他の信号処理部で処理された後の第１映像信号を引き続き前記表示デバイスに出力する出力制御を実行する。
また出力制御部は、フリーズでも良いが、ブランキングを行う場合は、その画像を少なくとも処理後に出力し、出力信号の切り換えを行った後にブランキング解除を行う。ブランキングを行う期間は、主に出力信号の切り換えの短い時間である。
さらに出力制御部は、イベントが発生すると、ＯＳＤ画像を出力映像に合成して出力し、切り換え中であることを知らせる。
【発明の効果】
【００１３】
本発明によれば、入力映像信号の種類、すなわち、映像ソースの種類、適合表示デバイスの規格の違い、放送受信信号かライン等による入力信号かの違い等が種々異なっても、一定で短いブランキング時間（またはフリーズ時間）で表示映像の切り換えを行うことができる。
【発明を実施するための最良の形態】
【００１４】
以下、本発明の実施形態を、図面を参照して説明する。なお、以下では画乱れをマスクする手法が「ブランキング」の場合を例として説明する。ただし「フリーズ」、すなわちマスキング開始時の入力映像信号の画面を静止画として提示すること、および、そのための処理によって、以下の説明におけるブランキング表示と、そのための処理を代替可能である。
【００１５】
［第１実施形態］
図１は、電子機器のブロック図である。この図１は、本実施形態に係る映像信号処理装置を中心とした構成を示す。
図解した電子機器１は、映像信号処理装置２、入力（処理）手段３、表示デバイス（ディスプレイ）４、ＣＰＵ５および操作部６を有する。
【００１６】
電子機器１が放送受信機能を有する場合は、デジタルまたはアナログのチューナ、デジタル放送信号のデコーダを入力（処理）手段３に含む。また、電子機器１が映像再生（および記録）やカメラ（撮像）の機能を有する場合は、映像の（記録）再生部や撮像信号処理部を入力（処理）手段３に含む。さらに、電子機器１が外部からの様々な規格の映像信号を入力可能な場合は、それらの入力端子（映像信号規格に適合したコネクタ類）を入力（処理）手段３に含む。
なお、電子機器１が上記３つの機能を任意に組み合わせた機能を有する場合は、その機能に適合した上記手段、すなわちチューナ、デコーダ、再生部、撮像信号処理部、及び／又は、入力コネクタを適宜、入力（処理）手段３に含む。
【００１７】
表示デバイス４の種類は任意であり、駆動回路４Ａを含む。
ＣＰＵ５は、当該電子機器１全体のシステムを制御するものであり、映像信号処理装置２の制御端子Ｔｃに接続されている。ＣＰＵ５に操作部６が接続されている。操作部６は、本体の操作キー、リモートコントローラ、および、その制御信号（リモコン信号）送受信のための手段を含む。
【００１８】
映像信号処理装置２は、たとえばＬＳＩとして実現される信号処理回路である。
映像信号処理装置２は、複数Ｍ個の信号処理部２１，２２，…２Ｍと、出力制御部３０とを有する。出力制御部３０は、ＯＳＤ(On-Screen Display)画像を生成または保持するＯＳＤ部３１を図示のように内蔵してもよいし、あるいは、映像信号処理装置２の外部からＯＳＤ画像を入力してもよい。映像信号処理装置２がＣＰＵ３２を備える場合は、当該ＣＰＵ３２は当該出力制御部３０に含む。
なお、以下の実施形態の説明では、出力制御を含む映像信号処理装置２の制御を、外部のＣＰＵ５により実行するものとする。したがって、本実施形態では、本発明の「出力制御部」の概念に、出力制御に関するＣＰＵ５の機能が含まれる。
【００１９】
つぎに、動作を説明する。
図１において、映像信号が外部から入力（処理）手段３に入力され、入力（処理）手段３で必要に応じて処理（受信処理、デコード処理、記録および再生処理等）が実行される。入力（処理）手段３からは、Ｍ個の映像信号Ｓ１,Ｓ２,…ＳＭが、映像信号処理装置２の映像入力端子Ｔi1,Ti2,…,Ｔimから入力され、それぞれ、信号処理部２１,２２,…２Ｍに入力される。
以下、説明の簡略化のため、Ｍ＝２すなわち信号処理部の個数が２の場合で、以降の処理内容を説明する。
【００２０】
図２に、信号処理部が２つの場合に、信号処理部の詳細な構成例と、処理の流れを示す。
第１の信号処理部２１、第２の信号処理部２２のそれぞれは、映像分離ブロックＢ１、スケーラＢ２および画質制御ブロックＢ３を含む。各信号処理部が行う処理（ブロックの配置）の順序は図示のものに限定されるものではない。
なお、アナログ信号をデジタル信号に変換する必要がある場合は、Ａ／Ｄ変換ブロックを信号処理部に含ませてもよいし、Ａ／Ｄ変換の機能を図１の入力（処理）手段３に持たせてもよい。
【００２１】
映像分離ブロックＢ１は、入力した映像信号から映像データを抽出し、抽出した映像データを次の処理ブロックに送る。入力映像信号には、通常、映像データのほかに同期信号を含むブランキング期間の制御信号、その他の信号や情報（デジタルの場合は制御情報やＥＰＧ等の付属情報）が含まれるため、この処理では、これらを分離して処理対象の映像データのみ抽出する。分離後の同期信号は、その後の処理に用いられる。
【００２２】
スケーラＢ２は、入力した映像データを、表示デバイス４に適合した解像度の映像データに、画面サイズでは拡大または縮小となる変換を施す。通常、このとき画像メモリを用いるが、図２において画像メモリは図示を省略している。また、変換処理には、入力画像信号の解像度情報が必要となるが、解像度情報は、それより前の処理、たとえば図１の入力（処理）手段３内のデコーダ、図２の映像分離ブロックＢ１後の処理（不図示）で取得する。
【００２３】
画質制御ブロックＢ３は、入力画像信号のソース、表示デバイス４の種類、さらには、ユーザの好みに応じたブライトネス等の画質パラメータを調整する。また、調整後の画質パラメータ値を保持する機能を備えている。
【００２４】
第１の信号処理部２１に入力された第１映像信号（図では「Input1」と表記）Ｓ１は、第１の信号処理部２１にて上記各種処理が施された後、出力制御部３０内の混合ブロック(BLEND BLOCK)３３に出力される。
同様に、第２の信号処理部２２に入力された第２映像信号（図では「Input2」と表記）Ｓ２は、第２の信号処理部２２にて上記各種処理が施された後、出力制御部３０内の混合ブロック３３に出力される。
【００２５】
混合ブロック３３は、図１のＣＰＵ５からの制御を受けて行う４つの機能、すなわち、複数の映像信号を合成して多画面表示を行う機能、ＯＳＤ部３１からのＯＳＤ画像を入力映像に混合する機能、入力映像の表示デバイス４に出力すべき映像信号の切り換えの機能、および、ブランキングの機能を備える。
ブランキングは、その画像をＯＳＤ部３１から入力してもよいし、混合ブロック３３内で映像信号レベルを強制的に黒レベルに遷移させることにより実現してもよい。
【００２６】
混合ブロック３３が行う上記４つの機能は、図１の操作部６に対するユーザ操作に基づくイベント発生に応じて、ＣＰＵ５がタイミングを制御する。ここで「イベント」とは、表示デバイス４に表示する映像を切り換えるための処理のトリガとなる状態変化である。イベントとしては、多画面表示と１画面表示との切り換え、ＯＳＤ表示（メニュー表示）、チューナ選局動作あるいは入力映像信号の変更などを例示できる。
図２の混合ブロック３３は、現在の設定（起動直後の初期設定、あるいは、その後のユーザ操作に基づく設定）に応じて、一の映像信号を出力端子Ｔｏから表示デバイス４に出力する。このとき仮に他の処理後の映像信号が混合ブロック３３の入力に入っている場合でも、この他の映像信号を表示デバイス４に出力しないようにせき止める。
この状態で何らかのイベントが発生すると、入力（処理）手段３および映像信号処理装置２がイベントに応じた処理を実行し、映像信号処理装置２内の混合ブロック３３がイベントに応じた映像信号の切り換え動作を実行する。
【００２７】
つぎに、このイベント発生にともなう動作例を、図３のフローチャートに沿って説明する。図３では第１映像信号Ｓ１を「信号１」、第２映像信号Ｓ２を「信号２」と表記している。
ここでの説明は前記図１および図２を適宜参照し、また図４を用いる。図４は、切り換え処理中をユーザに知らせるためのＯＳＤ画像例を示す図である。
ここでイベントとしては、デジタル放送受信のチューナ選局により、第１映像信号Ｓ１（信号１）の出力チャンネルから、第２映像信号Ｓ２（信号２）の出力チャンネルに切り替わる場合を考える。
【００２８】
図３のステップＳＴ１に示すように、イベント発生前の段階では、第１映像信号Ｓ１（信号１）が、図２の第１の信号処理部２１で処理され混合ブロック３３から表示デバイス４に出力されている。このとき、第２の信号処理部２２には映像信号が入力されていないとする。
【００２９】
図１のＣＰＵ５は、操作部６のユーザ操作を常に監視しており、その操作情報（たとえばリモコン信号）に応じて、イベントの発生および種類を検出する。本例ではイベントが第１映像信号Ｓ１（信号１）の出力チャンネルから第２映像信号Ｓ２（信号２）の出力チャンネルへの切り換えであることから、そのチャンネル切り換え指示をユーザ操作に基づき、ＣＰＵ５が検出すると、図３に示す「信号２への切換要求」の発生となる（ステップＳＴ２）。
ＣＰＵ５は、イベント発生に応じて、切り換え表示中であることをユーザに報知するＯＳＤ画像の表示指示のコマンドを、図１の出力制御部３０に送る。出力制御部３０は、その内部のＯＳＤ部３１にて、たとえば図４（Ｂ１）または図４（Ｂ３）に示す「切り換え処理中」または「ＣＨ１→ＣＨ２」の文字を表すＯＳＤ画像４１を生成または内部のＲＯＭ等から読み出し、図４（Ａ）のように、出力中の信号１の映像４０に合成処理する。これにより、図３のステップＳＴ３に示す「ＯＳＤ表示」が実行される。
【００３０】
またＣＰＵ５は、上記イベント発生に応じて、切換指示のコマンドを入力（処理）手段３内のチューナに出力し、そこでイベントに応じた処理を開始させる。これにより、図１の入力（処理）手段３のアンテナで捕捉された電波に対してチューナが選局動作を実行すし、第２映像信号Ｓ２を取得する。
取得された第２映像信号Ｓ２に対し、図３のステップＳＴ４にて「受信デコード処理」が実行される。第２映像信号Ｓ２は、ステップＳＴ４の前の段階ではＴＳ(Transfer Stream)と称される時系列符号であるが、それには映像データのほかに音声データおよび種々の制御データを含む。受信デコード処理では、まず、ＴＳから映像データを取り出す映像分離処理を実行し、分離された映像データにデコード処理を実行する。この処理後の映像データは、図１の入力（処理）手段３から、図２の第２の信号処理部２２に入力され、ここで種々の処理が施される（ステップＳＴ５）。
【００３１】
ステップＳＴ５の処理としては、図２の第２の信号処理部２２におけるスケーラＢ２および画質制御ブロックＢ３による処理が例示できる。なお、本例の場合、図１の入力（処理）手段３で映像分離処理は既に実行されていることから、映像分離ブロックＢ１の処理が実行されることはない。
【００３２】
これらの処理が終了すると、映像データ信号（第２映像信号Ｓ２）が図２の混合ブロック３３に送られる。混合ブロック３３は、処理後の第２映像信号Ｓ２が表示映像として安定する待機（ＷＡＩＴ）を所定時間だけ行って（ステップＳＴ６）、混合ブロック３３の出力をブランキングにする（ステップＳＴ７）。このブランキングは、安定した映像信号同士のスイッチングにともなう瞬間的な画乱れをマスキングするものであり、たとえば垂直同期期間Ｖの２倍程度と短い時間行う。その間に、混合ブロック３３から出力すべき映像信号を第１映像信号Ｓ１（信号１）から第２映像信号Ｓ２（信号２）に内部で切り換え（ステップＳＴ８）、その後、ブランキングを解除する（ステップＳＴ９）。
ブランキング解除により、図２の混合ブロック３３からは第２映像信号Ｓ２（信号２）の安定した映像が表示デバイス４に出力される。
【００３３】
なお、図３では、ステップＳＴ６（ＷＡＩＴ）後にブランキングをかけたが、ステップＳＴ５の処理終了時にブランキングをかけて待機（ＷＡＩＴ）と信号切り換え後に解除するようにしてもよい。
【００３４】
このように本実施形態では、イベント発生から暫くは、第１の信号処理部２１の処理を停止させないで、かつ、混合ブロック３３の切り換えも行わない。そして、少なくとも第２の信号処理部２２で処理が終了するまで、さらに望ましくは、その後に第２映像信号Ｓ２が表示映像として安定した状態になるまでは、第１映像信号Ｓ１の表示デバイス４への出力を続行する。
第２映像信号Ｓ２の処理が終了し、あるいは、その処理後の第２映像信号Ｓ２が安定したら、混合ブロック３３において、いままで出力していた第１映像信号Ｓ１の出力を停止し、代わりに、処理の後の第２映像信号Ｓ２を表示デバイス４に出力するように切り換え動作を行う。
【００３５】
この切り換え動作を行うタイミング制御は、ある起点から所定時間の経過に基づいて行われる。起点を決める方法としては、ユーザ操作に基づくイベント開始を起点とする第１の方法、信号を直接検出して起点を決める第２の方法の何れでもよい。
第１の方法では、図１に示すＣＰＵ５が、処理回路（入力（処理）手段３および第２の信号処理部２２）の性能や遅延量等の既知情報から見積もられる処理時間（および、その処理後の信号が表示映像として安定する待機時間）を動作プログラム上のパラメータとして予め設定している。ＣＰＵ５は、リモコン信号等を受けたイベント開始から当該処理時間（または、処理時間と待機時間の合計時間）が経過したときに切り換え動作が実行されるように、混合ブロック３３にコマンドを発行する。
【００３６】
第２の方法では、ＣＰＵ５が入力（処理）手段３内のチューナ出力を監視している。選局動作中のチューナ出力レベルは比較的低いが、選局終了に近づくにしたがってチューナ出力レベルが上昇する。ＣＰＵ５は、このチューナ出力レベルが、ある閾値を超えたときに選局が行われたとして、その時点を起点とする。そしてＣＰＵ５は、起点（チャンネル選局時）から、その後の処理回路の性能や遅延量等の既知情報から見積もられる処理時間（および、その処理後の信号が表示映像として安定する待機時間）を動作プログラム上のパラメータとして予め設定している。ＣＰＵ５は、上記起点（チャンネル選局時）から当該処理時間（または、処理時間と待機時間の合計時間）が経過したときに切り換え動作が実行されるように、混合ブロック３３にコマンドを発行する。
【００３７】
第２の方法は、ユーザがチャンネル選局操作を開始してから実際にユーザが見たいチャンネルが最終的に選局されるまでの間の時間が変動するような場合に対応でき、その意味で、第１の方法より優れている。
つまり、ユーザはチャンネル選局を短い時間に何度も行うことがあり、その場合に、最初のユーザ操作の検出を起点として所定時間後にブランキングをかけると、ブランキングをかけた時点ではまだ処理中で、ブランキング解除時点では映像が安定していない場合もありうる。その場合、第２の方法を採ると、ユーザはチャンネル選局を短い時間に何度も行っている間はチューナ出力が低いレベルのままであり、ユーザが見たいチャンネルに選局した後にチューナ出力レベルが上昇することから、そこを起点としての時間設定が可能であり、その結果、ブランキングおよびその解除のタイミングが意図したものからずれることが防止できる。
なお、第１の方法においても、何度もユーザ操作が繰り返される場合を考慮して、ＣＰＵ５が、ある時間幅で操作の確定待ち時間を設定し、ユーザ操作が行われなくなって確定待ち時間が経過して初めて、最後のユーザ操作を起点と決定すると、第２の方法と同様に、ブランキングおよびその解除のタイミング制御を正確に行うことができる。
【００３８】
また、ユーザが比較的ゆっくりと選局画面の映像を確認しながら選局動作を繰り返す場合に、ブランキングが解除されて選局したチャネルの映像（上記例では第２映像信号Ｓ２）が表示デバイス４に表示されてから、第１映像信号Ｓ１を表示していた元のチャネルに戻す場合が考えられる。この場合、図２の第１の信号処理部２１における第１映像信号Ｓ１の処理は全て終了しているから、２Ｖ（Ｖ：垂直同期期間）程度のブランキングを経て直ぐに、元の第１映像信号Ｓ１の映像表示が可能である。
【００３９】
本実施形態では、入力切換時のブランキングが、前後の設定とは関係なく映像をスイッチングする際に必要となるブランキングのみになるため、ブランキングタイムを最短で約１６[msec]、最大でも４０[msec]程度に短縮できる。また、切り換え処理中は、その旨を報知するＯＳＤ画像が表示されるため、ユーザが、応答性が悪いと誤って判断してチャネル切換操作を繰り返すことがない。ユーザはブランキングまでは、切り換え前の映像を安心して観ることができ、この間、意味のある情報を画面から得ることとなる。
【００４０】
［第２実施形態］
図５は、本実施形態の電子機器のブロック図である。
図５が図１と異なるのは、映像信号処理装置２内にマルチプレクサ（ＭＰＸ）５０を付加している点である。
【００４１】
図６は、入力（処理）手段３の構成例を示す図である。
図解した入力（処理）手段３は、アンテナ３４、デジタルチューナ（D Tuner）３５、アナログチューナ（A Tuner）３６、デコーダ３７および映像信号（「InputX」で表記）の入力コネクタ３８を有する。また、とくに図解していないが、入力（処理）手段３は、その他のコネクタや処理部も多数有するものとする。
【００４２】
マルチプレクサ５０は、Ｎ個の入力とＭ個の出力をＣＰＵ５の制御を受けて任意に切り換えて接続状態を変更するものである。マルチプレクサ５０を設けると、入力信号のチャネル数Ｎが大きい場合でも、出力信号のチャネル数ＭをＮより小さくし、それにより図５に示す信号処理部２１,２２,…２Ｍの数を減らすことができる。
言い換えると、図１の構成では入力信号チャネル数だけ信号処理部２１,２２,…２Ｍを設ける必要があったが、表示デバイス４は一つであり、実際に信号が入力されているチャネル数はＮより少ない使い方が一般的である。このため、実際に動作しない信号処理部が常に存在することになり無駄が大きい。本実施形態では、マルチプレクサ５０を追加することで信号処理部の数を減らし、全体として回路規模の縮小を図っている。
【００４３】
図７（Ａ）に、第２実施形態のイベント発生時の処理フローを示す。
図７（Ａ）が図３と異なる点は、受信・デコード処理（ステップＳＴ４）およびその他の処理（ステップＳＴ５）に代えて、マルチプレクサ５０の接続設定（ＭＰＸ設定）のステップＳＴ１１と信号処理のステップＳＴ１２を設けていることである。なお、図３の受信・デコード処理（ステップＳＴ４）は、図７（Ａ）の信号処理（ステップＳＴ１２）に含まれることから、実質的には、ＭＰＸ設定（ステップＳＴ１１）の追加となっている。
他のステップ、とくにブランキングの仕方そのものは第１実施形態と同じであり、ここでの説明を省略する。
【００４４】
図７（Ｂ）に比較例を示す。
比較例では、とくに非常に時間がかかる信号処理のステップＳＴ１２がブランキングとなっているため、ユーザにとって無意味なブランキング時間が長い。
本実施形態も、第１実施形態と同様、このブランキング時間の短縮、ＯＳＤ画像により報知によるユーザフレンド性の向上という利点がある。
【００４５】
なお、上記説明では、チューナ選局の場合を具体的な説明として用いたが、入力ソースが、たとえばビデオテープレコーダからＤＶＤ再生機に変更される場合には、受信・デコード処理は不要な点が異なるがほぼ同様にして動作可能である。その場合、切り換え処理中を示すＯＳＤ画像は、図４（Ｂ２）に示す「ＶＴＲ→ＤＶＤ」を用いることができる。なお、入力ソースは、この例に限らない。入力ソース変更の場合は、前述したタイミング制御に関する第１の方法を採用する。
【図面の簡単な説明】
【００４６】
【図１】第１実施形態の電子機器のブロック図である。
【図２】信号処理部の詳細な構成例と処理の流れを示す図である。
【図３】第１実施形態でイベント発生にともなう動作を示すフローチャートである。
【図４】（Ａ）〜（Ｂ３）はＯＳＤ画像例を示す図である。
【図５】第２実施形態の電子機器のブロック図である。
【図６】入力（処理）手段の構成例をマルチプレクサとともに示す図である。
【図７】（Ａ）は第２実施形態でイベント発生にともなう動作を示すフローチャートである。（Ｂ）は比較例の動作を示すフローチャートである。
【符号の説明】
【００４７】
１…電子機器、２…映像信号処理装置、３…入力（処理）手段、４…表示デバイス、５…ＣＰＵ、６…操作部、２１…第１の信号処理部、２２…第２の信号処理部、３１…ＯＳＤ部、５０…マルチプレクサ部
【図１】
2007013464.tif 000003
【図２】
2007013464.tif 000004
【図３】
2007013464.tif 000005
【図４】
2007013464.tif 000006
【図５】
2007013464.tif 000007
【図６】
2007013464.tif 000008
【図７】
2007013464.tif 000009